(57)【要約】【課題】  画像に含まれるＧＰＳ情報をデータ放送に含まれる情報と連携させて画像処理装置及び画像処理プログラムを提供する。【解決手段】  画像入力部４８は、利用者の画像が入力されるブロックであり、各種の記録メディアからデータを読み取るためのメディアリーダや、デジタルカメラ等とデータの送受信を行うためのアダプタを備える。情報照合部５０は、画像入力部４８を介して入力された画像データ、及び上記デジタル放送番組データに含まれる情報を照合するブロックである。データ編集部５２は、情報照合部５０により利用者によって入力された画像データ、及び上記デジタル放送番組データに含まれる情報の照合結果に基づいて、上記入力画像データやデジタル放送番組データを編集するブロックである。データ編集部５２は、入力画像データのＧＰＳ情報と同様の位置情報を有するデジタル放送番組データを関連付けて記録する。【選択図】      図２
2006238192.tif 000002
【特許請求の範囲】
【請求項１】
画像を入力する画像入力手段と、
前記入力された画像からＧＰＳ情報を取得する情報取得手段と、
デジタル放送番組データを受信する放送受信手段と、
前記受信されたデジタル放送番組データから位置情報を取得し、前記画像から取得されたＧＰＳ情報と照合する照合手段と、
前記入力された画像のＧＰＳ情報と同様の位置情報を有するデジタル放送番組データの関連情報を前記画像と関連付けて記録する画像記録手段と、
を備えることを特徴とする画像処理装置。
【請求項２】
前記画像記録手段は、前記入力された画像のＧＰＳ情報と同様の位置情報を有するデジタル放送番組データに含まれる画像データを、前記入力された画像と関連付けて記録することを特徴とする請求項１記載の画像処理装置。
【請求項３】
前記画像記録手段は、前記入力された画像のＧＰＳ情報と同様の位置情報を有するデジタル放送番組データに含まれる音声データを、前記入力された画像と関連付けて記録することを特徴とする請求項１又は２記載の画像処理装置。
【請求項４】
前記入力された画像からサムネイル画像を取得する第１のサムネイル画像取得手段を更に備え、
前記画像記録手段は、前記デジタル放送番組データの位置情報とＧＰＳ情報が同様である画像が入力された場合に、前記入力された画像から取得されたサムネイル画像を、前記デジタル放送番組データのサムネイル画像として記録することを特徴とする請求項１から３のいずれか１項記載の画像処理装置。
【請求項５】
前記受信されたデジタル放送番組データからサムネイル画像を取得する第２のサムネイル画像取得手段を更に備え、
前記画像記録手段は、前記入力された画像のＧＰＳ情報と同様の位置情報を有するデジタル放送番組データから取得されたサムネイル画像を前記画像のサムネイル画像として記録することを特徴とする請求項１から４のいずれか１項記載の画像処理装置。
【請求項６】
画像の入力を受け付ける機能と、
前記入力された画像からＧＰＳ情報を取得する機能と、
デジタル放送番組データを受信する機能と、
前記受信されたデジタル放送番組データから位置情報を取得し、前記画像から取得されたＧＰＳ情報と照合する機能と、
前記入力された画像のＧＰＳ情報と同様の位置情報を有するデジタル放送番組データの関連情報を前記画像と関連付けて記録する機能と、
をコンピュータに実現させることを特徴とする画像処理プログラム。
【発明の詳細な説明】
【技術分野】
【０００１】
本発明は画像処理装置及び画像処理プログラムに係り、特にデジタル放送の再生・記録を行う画像処理装置及び画像処理プログラムに関する。
【背景技術】
【０００２】
従来、各種放送のアナログ方式からデジタル方式への移行が進行している。例えば、ＣＳデジタル放送やＢＳデジタル放送、地上波デジタル放送が実施されている。上記のようなデジタル放送においては、映像及び音声の番組に加えて、各チャンネルの番組案内やニュース、番組に取り上げられた場所の位置情報等のデータ放送が行われている。そして、このようなデジタル放送を受信する際に、これらのデータ放送の情報を利用する技術が提案されている（例えば、特許文献１）。
【０００３】
ところで、最近ＧＰＳ情報（Global Positioning System：全地球測位システム）をデジタルデータに付与して利用する技術が開発されている。例えば、デジタル画像にＧＰＳ情報を付加することのできるデジタルカメラが開発されている。従来、このようなＧＰＳ情報と上記のデータ放送とを関連付けた技術開発はあまり行われていなかった。
【特許文献１】特開２００２−１６８６３２号公報
【発明の開示】
【発明が解決しようとする課題】
【０００４】
本発明はこのような事情に鑑みてなされたもので、画像に含まれるＧＰＳ情報をデータ放送に含まれる情報と連携させて画像処理装置及び画像処理プログラムを提供することを目的とする。
【課題を解決するための手段】
【０００５】
上記目的を達成するために本発明に係る画像処理装置は、画像を入力する画像入力手段と、前記入力された画像からＧＰＳ情報を取得する情報取得手段と、デジタル放送番組データを受信する放送受信手段と、前記受信されたデジタル放送番組データから位置情報を取得し、前記画像から取得されたＧＰＳ情報と照合する照合手段と、前記入力された画像のＧＰＳ情報と同様の位置情報を有するデジタル放送番組データの関連情報を前記画像と関連付けて記録する画像記録手段とを備えることを特徴とする。
【０００６】
本発明に係る画像処理装置によれば、入力された画像とデジタル放送番組データを相互に参照することができるため、画像や番組をより印象深いものとして記録できる。
【０００７】
上記本発明に係る画像処理装置において、前記画像記録手段は、前記入力された画像のＧＰＳ情報と同様の位置情報を有するデジタル放送番組データに含まれる画像データを、前記入力された画像と関連付けて記録することができる。この例は、上記のデジタル放送番組データの関連情報を画像データ（ビデオデータ）に限定したものである。
【０００８】
また、上記本発明に係る画像処理装置において、前記画像記録手段は、前記入力された画像のＧＰＳ情報と同様の位置情報を有するデジタル放送番組データに含まれる音声データを、前記入力された画像と関連付けて記録することができる。この例は、上記のデジタル放送番組データの関連情報を音声データ（オーディオデータ）に限定したものである。
【０００９】
上記本発明に係る画像処理装置は、前記入力された画像からサムネイル画像を取得する第１のサムネイル画像取得手段を更に備え、前記画像記録手段は、前記デジタル放送番組データの位置情報とＧＰＳ情報が同様である画像が入力された場合に、前記入力された画像から取得されたサムネイル画像を、前記デジタル放送番組データのサムネイル画像として記録するようにしてもよい。この例によれば、デジタル放送番組データを記録する際に、独自のサムネイル画像を作成でき、番組をより印象深いものとして記録できる。
【００１０】
また、上記本発明に係る画像処理装置は、前記受信されたデジタル放送番組データからサムネイル画像を取得する第２のサムネイル画像取得手段を更に備え、前記画像記録手段は、前記入力された画像のＧＰＳ情報と同様の位置情報を有するデジタル放送番組データから取得されたサムネイル画像を前記画像のサムネイル画像として記録するようにしてもよい。この例によれば、画像の撮影場所と同じ場所に関する番組を、その画像のサムネイル画像として用いることにより、画像をより印象深いものとして保存できる。
【００１１】
本発明に係る画像処理プログラムは、画像の入力を受け付ける機能と、前記入力された画像からＧＰＳ情報を取得する機能と、デジタル放送番組データを受信する機能と、前記受信されたデジタル放送番組データから位置情報を取得し、前記画像から取得されたＧＰＳ情報と照合する機能と、前記入力された画像のＧＰＳ情報と同様の位置情報を有するデジタル放送番組データの関連情報を前記画像と関連付けて記録する機能とをコンピュータに実現させることを特徴とする。
【発明の効果】
【００１２】
本発明によれば、入力された画像とデジタル放送番組データを相互に参照することができるため、画像や番組をより印象深いものとして記録できる。
【発明を実施するための最良の形態】
【００１３】
以下、添付図面に従って本発明に係る画像処理装置及び画像処理プログラムの好ましい実施の形態について説明する。
【００１４】
図１は、本発明の一実施形態に係る画像処理装置を模式的に示す図である。図１に示す画像処理装置１０は、アンテナ１２を介して放送局１４から送信されるデジタル放送番組データを受信して記録する装置である。
【００１５】
図２は、本発明の一実施形態に係る画像処理装置の主要構成を示すブロック図である。本実施形態の画像処理装置１０は、受信されたデジタル放送番組データをＤＶＤ等に記録するＤＶＤ／ＨＤＤレコーダを備える。図２に示すように、画像処理装置１０は、ＭＰＵ（メインプロセッサユニット）２０、操作部２２、リモコンインターフェイス（リモコンＩ／Ｆ）２４、ＨＤＤ２６、ＤＶＤドライブ２８、エンコード部３０、外部入力部３２、チューナ部３４、デコード部３６、映像出力部３８、音声出力部４０を備える。なお、図中の符号４２はバスである。
【００１６】
ＭＰＵ２０は、画像処理装置１０の各部の動作を統括制御する制御部であり、その制御プログラムが格納されたＲＯＭ、プログラム実行に必要なワークエリアを提供するＲＡＭ、ユーザ設定情報等を記憶するＥＥＰＲＯＭ、タイマ等を備えている。ＭＰＵ２０は、操作部２２又はリモコンインターフェイス２４を介して入力されるリモコン４４からの操作要求データを受け、画像処理装置１０の各部を制御する。
【００１７】
ＤＶＤドライブ２８は、読み書き可能なＤＶＤ（ＤＶＤ±Ｒ、ＤＶＤ±ＲＷ、ＤＶＤ−ＲＡＭ等）４６への記録データの書き込み、及び、読み書き可能あるいは再生専用のＤＶＤ（ＤＶＤ−ＲＯＭ、ＤＶＤ±Ｒ、ＤＶＤ±ＲＷ、ＤＶＤ−ＲＡＭ等）４６からの記録データの読み出しを行う。
【００１８】
エンコード部３０は、外部入力部３２若しくはチューナ部３４から入力されるアナログのＡ／Ｖ（オーディオ／ビデオ）信号をデジタルのＡ／Ｖ信号に変換するＡ／Ｄコンバータと、そのＡ／ＤコンバータでＡ／Ｄ変換されたデジタルのＡ／Ｖ信号をエンコードするＡ／Ｖエンコード部と、Ａ／Ｖエンコード部でエンコードされたＡ／Ｖ信号を所定規格の記録データに変換するフォーマッタ部とを備える。
【００１９】
デコード部３６は、ＨＤＤ２６又はＤＶＤ４６から読み出された記録データからオーディオデータ部分とビデオデータ部分を分離するセパレータ部と、そのセパレータ部で分離されたオーディオデータ部分とビデオデータ部分をデコードするＡＶデコード部とを備える。
【００２０】
映像出力部３８は、デコード部３６でデコードされたビデオデータをモニタ出力用の信号形式に変換して、モニタに出力する。また、映像出力部３８は、ＭＰＵ２０の制御の下、モニタに出力する映像の合成処理を行う。
【００２１】
音声出力部４０は、デコード部３６でデコードされたオーディオデータをスピーカ出力用の信号形式に変換して、スピーカに出力する。
【００２２】
さらに、画像処理装置１０は、画像入力部４８、情報照合部５０、及びデータ編集部５２を備える。
【００２３】
画像入力部４８は、利用者の画像が入力されるブロックであり、各種の記録メディアからデータを読み取るためのメディアリーダや、デジタルカメラ等とデータの送受信を行うためのアダプタを備える。
【００２４】
情報照合部５０は、画像入力部４８を介して入力された画像データ、及び上記デジタル放送番組データに含まれる情報を照合するブロックである。
【００２５】
データ編集部５２は、情報照合部５０により利用者によって入力された画像データ（以下の説明では入力画像データという）、及び上記デジタル放送番組データに含まれる情報の照合結果に基づいて、上記入力画像データやデジタル放送番組データを編集するブロックである。なお、各データの編集の態様については後述する。
【００２６】
図３は、入力画像データ及びデジタル番組データの構造を模式的に示す図である。同図に示すように、入力画像データ６０は、撮影場所に関するＧＰＳ情報６２をタグ情報として含んでいる。また、デジタル放送番組データ６４は、複数の番組場面データ６６を含んでいる。各番組場面データ６６は、番組で取り上げられた場所や、番組が収録された場所（ロケ先、スタジオ等）に関する位置情報６８を含んでいる。
【００２７】
以下、入力画像データやデジタル放送番組データを編集する際の処理の流れについて、図４及び図５を参照して説明する。図４は、入力画像データの編集の態様を示すフローチャートである。まず、画像入力部４８を介して画像データが入力される（ステップＳ１０）。すると、入力画像データ６０の選択画面がモニタに表示され、操作部２２又はリモコン４４からの操作入力により編集する入力画像データ６０が選択される（ステップＳ１２）。
【００２８】
次に、選択された入力画像データ６０からＧＰＳ情報６２が読み出されるとともに（ステップＳ１４）、ＨＤＤ２６やＤＶＤ４６に記録された番組場面データ６６に含まれる位置情報６８が読み出される（ステップＳ１６）。そして、読み出されたＧＰＳ情報６２と位置情報６８が情報照合部５０によって照合される（ステップＳ１８）。ステップＳ１８において、ＧＰＳ情報６２と位置情報６８が一致しない場合には、入力画像データ６０の編集は行われずに終了する。ステップＳ１８において、ＧＰＳ情報６２と位置情報６８が一致した場合には、番組場面データ６６、又は番組場面データ６６に含まれるオーディオデータやビデオデータが入力画像データ６０に関連付けられてＨＤＤ２６又はＤＶＤ４６に記録される（ステップＳ２０）。また、ステップＳ２０においては、番組場面データ６６のサムネイル画像が入力画像データ６０のサムネイル画像として記録されるようにしてもよい。
【００２９】
図４に示す例では、入力画像データ６０の撮影場所に関連する番組のオーディオデータやビデオデータ、サムネイル画像を関連付けて記録するため、入力画像データ６０をより思い出深いものとして記録できる。
【００３０】
図５は、デジタル放送番組データの編集の態様を示すフローチャートである。まず、デジタル放送番組データ６４が受信又は読み出される。そして、デジタル放送番組データ６４の選択画面がモニタに表示され、操作部２２又はリモコン４４からの操作入力により編集するデジタル放送番組データ６４が選択される（ステップＳ３０）。
【００３１】
次に、選択されたデジタル放送番組データ６４に含まれる各番組場面データ６６から位置情報６８が読み出されるとともに（ステップＳ３２）、入力画像データ６０からＧＰＳ情報６２が読み出される。（ステップＳ３４）。そして、読み出されたＧＰＳ情報６２と位置情報６８が情報照合部５０によって照合される（ステップＳ３６）。ステップＳ３６において、ＧＰＳ情報６２と位置情報６８が一致しない場合には、デジタル放送番組データ６４の編集は行われずに終了する。ステップＳ３６において、ＧＰＳ情報６２と位置情報６８が一致した場合には、入力画像データ６０からサムネイル画像が取得されて（ステップＳ３８）、サムネイル画像が番組場面データ６６のサムネイル画像としてＨＤＤ２６又はＤＶＤ４６に記録される（ステップＳ４０）。
【００３２】
図５に示す例では、利用者の撮影した入力画像データ６０を番組のサムネイル画像として利用できる。これにより、記録されたデジタル放送番組データ６４をより印象深いものとすることができる。
【図面の簡単な説明】
【００３３】
【図１】本発明の一実施形態に係る画像処理装置を模式的に示す図
【図２】本発明の一実施形態に係る画像処理装置の主要構成を示すブロック図
【図３】入力画像データ及びデジタル番組データの構造を模式的に示す図
【図４】入力画像データの編集の態様を示すフローチャート
【図５】デジタル放送番組データの編集の態様を示すフローチャート
【符号の説明】
【００３４】
１０…画像処理装置、１２…アンテナ、１４…放送局、２０…ＭＰＵ、２２…操作部、２４…リモコンインターフェイス、２６…ＨＤＤ、２８…ＤＶＤドライブ、３０…エンコード部、３２…外部入力部、３４…チューナ部、３６…デコード部、３８…映像出力部、４０…音声出力部、４２…バス、４４…リモコン、４６…ＤＶＤ、４８…画像入力部、５０…情報照合部、５２…データ編集部、６０…入力画像データ、６２…ＧＰＳ情報、６４…デジタル放送番組データ、６６…番組場面データ、６８…位置情報
【図１】
2006238192.tif 000003
【図２】
2006238192.tif 000004
【図３】
2006238192.tif 000005
【図４】
2006238192.tif 000006
【図５】
2006238192.tif 000007